(57)【要約】【課題】フロント部材の取り外しにあたって作業スペースを縮小し、良好な作業性を確保することができる空気調和機を提供する。【解決手段】空気調和機は、電装部品を支持し、熱交換器を収容する本体の側面を区画するサイド部材６８と、特定方向の動きに応じてサイド部材６８から分離可能に、サイド部材６８の前端に接続されて本体の前面を区画するフロント部材５７と、回転軸８３回りで回転自在にサイド部材６８に連結され、フロント部材５７の分離の動きに応じてサイド部材６８から遠ざかりフロント部材５７との係り合いを解除するサイドパネル７６とを備える。【選択図】図６
2017133795.tif 000002
【特許請求の範囲】
【請求項１】
電装部品を支持し熱交換器を収容する本体と、
前記本体の側面を覆うサイド部材と、
特定方向の動きに応じて前記サイド部材から分離可能に前記サイド部材の前端に接続されて前記本体の前面を覆うフロント部材と、
回転軸で回転自在にサイド部材に連結され係止手段により前記フロント部材に係り合わされるサイドパネルとを有する空気調和機において、
前記係止手段は、前記フロント部材の分離の動きに応じて前記サイド部材から前記サイドパネルを遠ざけることで前記係止手段の係り合いを解除することを特徴とする空気調和機。
【請求項２】
請求項１に記載の空気調和機において、前記係止手段は、前記フロント部材および前記サイドパネルの間で確立されて、前記回転軸から遠ざかる前記フロント部材の直進運動から、前記回転軸回りで開き方向に前記サイドパネルに駆動力を作用する第１直進カム機構を備えることを特徴とする空気調和機。
【請求項３】
請求項２に記載の空気調和機において、前記係止手段は、前記フロント部材および前記サイドパネルの間で確立されて、前記回転軸に近づく前記フロント部材の直進運動から、前記回転軸回りで閉じ方向に前記サイドパネルに駆動力を作用する第２直進カム機構をさらに備えることを特徴とする空気調和機。
【発明の詳細な説明】
【技術分野】
【０００１】
本発明は空気調和機に関する。
【背景技術】
【０００２】
空気調和機の本体は、前面を区画するフロント部材と、側面を区画するサイド部材とを備える。サイド部材には電装部品が支持され、サイド部材の前端はフロント部材で塞がれる。したがって、例えば電装部品のメンテナンスにあたってフロント部材は取り外される。フロント部材は前方に動かされてサイド部材から分離される。
【先行技術文献】
【特許文献】
【０００３】
【特許文献１】特開２００６−７１２２３号公報
【発明の概要】
【発明が解決しようとする課題】
【０００４】
本体の側面は化粧用のサイドパネルで覆われる。サイドパネルはサイド部材に連結されフロント部材に前方から係り合う。したがって、フロント部材の取り外しに先立ってサイドパネルはサイド部材から取り外されなければならない。サイドパネルの取り外しにあたって空気調和機の側方には比較的に大きな作業スペースが要求されてしまう。大きな作業スペースが確保されないと、作業性は損なわれてしまう。
【０００５】
本発明は、フロント部材の取り外しにあたって作業スペースを縮小し、良好な作業性を確保することができる空気調和機を提供することを目的とする。
【課題を解決するための手段】
【０００６】
本発明の一形態は、電装部品を支持し熱交換器を収容する本体と、前記本体の側面を覆うサイド部材と、特定方向の動きに応じて前記サイド部材から分離可能に前記サイド部材の前端に接続されて前記本体の前面を覆うフロント部材と、回転軸で回転自在に前記サイド部材に連結され係止手段により前記フロント部材に係り合わされるサイドパネルとを有する空気調和機において、前記係止手段は前記フロント部材の分離の動きに応じて前記サイド部材から前記サイド部材を遠ざけることで前記係止手段の係り合いを解除する空気調和機に関する。
【０００７】
電装部品にアクセスする際にフロント部材は特定方向に動かされてサイド部材から分離される。このとき、フロント部材の分離の動きに応じてサイドパネルとフロント部材との係り合いは解除される。サイドパネルは、回転軸回りで回転するだけで、サイド部材から取り外されない。しかも、回転に応じてサイドパネルとフロント部材との係り合いが解除されればよく、わずかな回転量で解除は実現されることができる。したがって、フロント部材の取り外しにあたって作業スペースは縮小される。サイドパネルが取り外される場合に比べて良好な作業性は確保される。
【０００８】
空気調和機は、前記フロント部材および前記サイドパネルの間で確立されて、前記回転軸から遠ざかる前記フロント部材の直進運動から、前記回転軸回りで開き方向に前記サイドパネルに駆動力を作用する第１直進カム機構を備えてもよい。こうしてフロント部材の直線運動は回転軸回りでサイドパネルの回転を引き起こす。サイドパネルが開き方向に回転することで、フロント部材はサイドパネルとの係り合いから解放される。フロント部材の取り外しは実現される。
【０００９】
空気調和機は、前記フロント部材および前記サイドパネルの間で確立されて、前記回転軸に近づく前記フロント部材の直進運動から、前記回転軸回りで閉じ方向に前記サイドパネルに駆動力を作用する第２直進カム機構をさらに備えてもよい。こうしてフロント部材の直線運動は回転軸回りでサイドパネルの回転を引き起こす。サイドパネルが閉じ方向に回転することで、サイドパネルはフロント部材との係り合いを確立する。フロント部材の取り付けに連動してサイドパネルは規定の位置に装着される。フロント部材の取り付けにあたって良好な作業性は確保される。
【発明の効果】
【００１０】
以上のように開示の装置によれば、フロント部材の取り外しにあたって作業スペースを縮小し、良好な作業性を確保することができる。
【図面の簡単な説明】
【００１１】
【図１】本発明の一実施形態に係る空気調和機の構成を概略的に示す概念図である。
【図２】一実施形態に係る室内機の外観を概略的に示す斜視図である。
【図３】室内機の本体の構成を概略的に示す斜視図である。
【図４】室内機の構造を概略的に示す分解斜視図である。
【図５】本体の構造を概略的に示す分解斜視図である。
【図６】図５のＡ−Ａ線に沿った拡大水平断面図である。
【図７】図６に対応し、第１直進カム機構の作用を概略的に示す拡大水平断面図である。
【図８】図６に対応し、第２直進カム機構の作用を概略的に示す拡大水平断面図である。
【発明を実施するための形態】
【００１２】
以下、添付図面を参照しつつ本発明の一実施形態を説明する。
【００１３】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１４】
冷凍回路１９は第１循環経路２１を備える。第１循環経路２１は四方弁１８の第１口１８ａと第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１５】
冷凍回路１９は第２循環経路２２をさらに備える。第２循環経路２２は四方弁１８の第３口１８ｃと第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーを交換する。室内熱交換器１４は、通過する冷媒と周囲の空気との間で熱エネルギーを交換する。第２循環経路２２は例えば銅管などの冷媒配管で形成されればよい。
【００１６】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の回転数に応じて調整される。
【００１７】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換することで生成された冷気または暖気の気流は室内機１２から吹き出される。通り抜ける気流の流量は羽根車の回転数に応じて調整される。
【００１８】
冷凍回路１９で冷房運転が実施される場合には、四方弁１８は第２口１８ｂと第３口１８ｃを相互に接続し第１口１８ａと第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００１９】
冷凍回路１９で暖房運転が実施される場合には、四方弁１８は第２口１８ｂと第４口１８ｄを相互に接続し第１口１８ａと第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２０】
（２）室内機の構成
図２は一実施形態に係る室内機１２の外観を概略的に示す。室内機１２の本体（筐体）２６にはアウターパネル２７が覆い被さる。本体２６の下面には吹出口２８が形成される。吹出口２８は室内に向けて開口する。本体２６の後面は、鉛直面（例えば室内の壁面）に固定されることができる。室内熱交換器１４で冷気または暖気が生成され、冷気または暖気の気流は吹出口２８から吹き出す。
【００２１】
吹出口２８には前後１対の上下風向板３１ａ、３１ｂが配置される。上下風向板３１ａ、３１ｂはそれぞれ本体の長手方向と平行な水平軸線３２ａ、３２ｂ回りに回転することができる。回転に応じて上下風向板３１ａ、３１ｂは吹出口２８を開閉する。上下風向板３１ａ、３１ｂの角度に応じて、吹き出される気流の方向は変えられる。
【００２２】
図３に示されるように、本体２６には吸込口３３が形成される。吸込口３３は本体２６の正面および上面で開口する。アウターパネル２７は本体２６の正面で吸込口３３に覆い被さることができる。室内の空気は吸込口３３から本体２６内に取り込まれ、室内熱交換器１４に向けて供給される。本体２６の前方で個々の吸込口３３にエアフィルタアセンブリ（図示されず）がそれぞれ装着される。
【００２３】
エアフィルタアセンブリはエアフィルタおよびダストボックスを備えればよい。エアフィルタはダストボックスに保持される。ダストボックスは本体に着脱自在に取り付けられる。ダストボックスが本体にセットされると、エアフィルタは吸込口の全面にわたって配置される。
【００２４】
図４に示されるように、本体２６には送風ファン２４が回転自在に支持される。送風ファン２４には例えばクロスフローファンが用いられる。送風ファン２４は水平軸線３２ａ、３２ｂに平行な回転軸４１回りで回転する。送風ファン２４の回転軸４１は本体２６の設置時の水平方向に延びる。送風ファン２４は吹出口２８に平行に配置される。送風ファン２４には駆動源（図示されず）から回転軸４１回りの駆動力が伝達される。駆動源は本体２６に支持される。送風ファン２４の回転に応じて気流は室内熱交換器１４を通過する。その結果、冷気または暖気の気流が生成される。冷気または暖気の気流は吹出口２８から吹き出される。
【００２５】
室内熱交換器１４は前側体１４ａおよび後側体１４ｂを備える。前側体１４ａは送風ファン２４の前側から送風ファン２４に向き合わせられる。後側体１４ｂは送風ファン２４の後側から送風ファン２４に向き合わせられる。前側体１４ａと後側体１４ｂは上端で相互に連結される。前側体１４ａおよび後側体１４ｂは冷媒管４２ａを有する。すなわち、冷媒管４２ａは、水平軸線３２ａ、３２ｂに平行に延び、本体２６の正面視左右端で折り返され、再び水平軸線３２ａ、３２ｂに平行に延び、再び本体２６の正面視左右端で折り返され、これらが繰り返される。冷媒管４２ａは第２循環経路２２の一部を構成する。冷媒管４２ａには複数の放熱フィン４２ｂが結合される。冷媒管４２ａおよび放熱フィン４２ｂは例えば銅やアルミニウムといった金属材料から形成されることができる。冷媒管４２ａおよび放熱フィン４２ｂを通じて冷媒と空気との間で熱交換が実現される。
【００２６】
本体２６はエアフィルタアセンブリの着脱口（右着脱口５６ａおよび左着脱口５６ｂ）を区画するフロント部材５７を備える。フロント部材５７は、水平方向に延びて着脱口５６ａ、５６ｂの下縁および吹出口２８の上縁を区画する主体５８を備える。主体５８はエアフィルタアセンブリを支持する。主体５８には、主体５８に一体化されて主体５８から連続する右壁体５９、中央壁体６１および左壁体６２が形成される。右壁体５９、中央壁体６１および左壁体６２は水平軸線３２ａ、３２ｂに直交する姿勢で鉛直方向に広がる。右壁体５９および中央壁体６１の間に右側の着脱口５６ａは区画される。中央壁体６１および左壁体６２の間に左側の着脱口５６ｂは区画される。フロント部材５７は本体２６の前面を区画する。
【００２７】
フロント部材５７は、前端から後端の合わせ面６３まで水平方向に広がって、着脱口５６ａ、５６ｂの上縁となる上面体６４と、主体５８および上面体６４から連続して鉛直方向に広がり、本体２６の右側面を形成する右側面体６５と、主体５８および上面体６４から連続して鉛直方向に広がり、本体２６の左側面を形成する左側面体６６とを有する。左側面体６６は、合わせ面６３より前方に広がる切り欠き６７で切り欠かれる。切り欠き６７はできる限り左側面体６６の前端に近づくことが望まれる。左側面体６６および左壁体６２の間にサイド部材６８は配置される。サイド部材６８は合わせ面６３でフロント部材５７に接続される。フロント部材５７は、前方への動きに応じてサイド部材６８から分離可能にサイド部材６８の前端に結合される。結合には例えばねじが用いられればよい。ここで、サイド部材６８の室内熱交換器１４側でない面を、本体側面２６ｂとする。本体側面２６ｂは、合わせ面６３から前方に広がる遮蔽板７１で切り欠き６７を塞ぎながら左側面体６６の外側面６６ａに接続される。
【００２８】
サイド部材６８は、水平軸線３２ａ、３２ｂに直交する姿勢で広がる外板７２と、外板７２から所定の間隔で内側に配置されつつ外板７２に平行に広がって、外板７２との間に収容空間７３を区画する内板７４とを備える。収容空間７３には例えば電装品ボックスＥが組み込まれる。電装品ボックスＥには電装部品が収容される。電装品ボックスＥはサイド部材６８に支持される。フロント部材５７には、前方に向かって電装品ボックスＥを開放する窓孔７５が区画される。サイド部材６８の後端には例えば本体２６のリア部材（図示されず）が結合される。リア部材は例えば室内熱交換器１４を支持する。本体２６はリア部材で室内の壁面に固定されればよい。
【００２９】
サイド部材６８にはサイドパネル７６が連結される。サイドパネル７６は樹脂材から形成される。サイドパネル７６は、左側面体６６の外側面６６ａおよび遮蔽板７１を含むサイド部材６８の本体側面２６ｂを覆う。サイドパネル７６の外表面には、設置面（室内の壁面）から遠い前側に光沢面７７が形成され、設置面に近い後側にテクスチャ構造７８が形成される。テクスチャ構造７８は模様を描く。テクスチャ構造７８は後端に近づくにつれて深く形成される。深さは例えば凹凸の高低差で特定されればよい。
【００３０】
遮蔽板７１は外板７２から連続する。遮蔽板７１の前端には壁体７９が形成される。壁体７９は上端でサイドパネル７６の裏側に突き当てられる。遮蔽板７１にはリブ８１が形成される。リブ８１は水平方向に延びる。リブ８１は左側面体６６の前端と壁体７９とに接続される。リブ８１は遮蔽板７１の強度を高める。
【００３１】
図６に示されるように、サイドパネル７６は、鉛直方向に延びる回転軸８３回りで回転自在にサイド部材６８に連結される。サイドパネル７６は平板形状の本体７６ａでサイド部材６８の本体側面２６ｂに重ねられる。ここで、係止部としての傾斜面８４、８５について説明する。本体７６ａの内向き面には、できる限り回転軸８３から遠い位置で、回転軸８３から遠ざかるにつれて内向き面から遠ざかる傾斜面８４が形成される。傾斜面８４には、フロント部材５７に形成されて、回転軸８３から遠ざかるにつれてサイドパネル７６の内向き面から遠ざかる傾斜面８５が接触する。ここでは、２つの傾斜面８４、８５のいずれか一方は突起や稜線で形成されてもよい。フロント部材５７の分離の動きは、回転軸８３に直交し回転軸８３から遠ざかるフロント部材５７の直進運動に相当する。傾斜面８５はフロント部材５７の移動経路の縁で終了する。
【００３２】
本体７６ａの内向き面にはさらに傾斜面８６が形成される。傾斜面８６はできる限り回転軸８３から遠い位置に配置される。傾斜面８６は、本体７６ａの内向き面に向き合って、回転軸８３から遠ざかるにつれて本体７６ａの内向き面から遠ざかる。傾斜面８６の形成にあたって本体７６ａの内向き面には板片８７が一体に形成される。板片８７は、フロント部材５７の左側面体６６に形成される切り欠き８８に進入する。切り欠き８８の縁８８ａは傾斜面８６に向き合わせられる。傾斜面８６の内端は傾斜面８４の内端よりも内側に位置する。
【００３３】
（３）室内機の動作
送風ファン２４が動作すると、吸込口３３から本体２６内に空気は吸い込まれる。本体２６内では吸込口３３から吹出口２８に向かって気流が生成される。気流はエアフィルタを通過して室内熱交換器１４を通過する。冷房運転時には空気は室内熱交換器１４で冷却されて吹出口２８から吹き出される。暖房運転時には空気は室内熱交換器１４で暖められて吹出口２８から吹き出される。気流がエアフィルタを通過する際にメッシュシートのメッシュの大きさよりも大きい塵埃はメッシュを通過することができない。こうして室内熱交換器１４に向かって流れる気流から塵埃などは除去される。室内熱交換器１４には清浄な気流が流れ込む。吹出口２８から清浄な空気の冷気または暖気は吹き出される。
【００３４】
例えば電装部品のメンテナンスにあたってフロント部材５７は取り外される。フロント部材５７は設置面（室内の壁面）から遠ざかるように、室内機の水平方向前方に引き出される。図７に示されるように、回転軸８３から遠ざかるフロント部材５７の直進運動は引き起こされる。フロント部材５７の傾斜面８５はサイドパネル７６の傾斜面８４に接触することから、直進運動の方向に傾斜する傾斜面８４、８５の働きでサイドパネル７６の傾斜面８４には回転軸８３回りで開き方向に駆動力が作用する。こうしてフロント部材５７の直進運動はサイドパネル７６の開き方向の運動に変換される。傾斜面８５はフロント部材５７の移動経路の縁で終了することから、傾斜面８５はフロント部材５７の移動経路から完全に傾斜面８４を退避させることができる。こうしてサイドパネル７６はフロント部材５７の分離の動きに応じてサイド部材６８から遠ざかりフロント部材５７との係り合いを解除する。フロント部材５７の取り外しは許容される。ここで、相互に接触する傾斜面８４、８５は、フロント部材５７およびサイドパネル７６の間で確立されて、回転軸８３から遠ざかるフロント部材５７の直進運動から、回転軸８３回りで開き方向にサイドパネル７６に駆動力を作用する第１直進カム機構を構成する。
【００３５】
以上のように、電装部品にアクセスする際にフロント部材５７は前方に動かされてサイド部材６８から分離される。このとき、フロント部材５７の分離の動きに応じてサイドパネル７６とフロント部材５７との係り合いは解除される。サイドパネル７６は、回転軸８３回りで回転するだけで、サイド部材６８から取り外されない。しかも、回転に応じてサイドパネル７６とフロント部材５７との係り合いが解除されればよく、わずかな回転量で解除は実現されることができる。したがって、フロント部材５７の取り外しにあたって作業スペースは縮小される。サイドパネル７６が取り外される場合に比べて良好な作業性は確保される。
【００３６】
メンテナンスの終了後、フロント部材５７は取り付けられる。フロント部材５７は設置面（室内の壁面）に近づくように水平方向に後方に動かされる。図８に示されるように、回転軸８３に近づくフロント部材５７の直進運動は引き起こされる。傾斜面８６の内端（本体７６ａの内向き面から最も離れた位置にある端部）は傾斜面８４の内端（本体７６ａの内向き面から最も離れた位置にある端部）よりも内側に位置することから、傾斜面８４がフロント部材５７の移動経路から外れていても、傾斜面８６はフロント部材５７の移動経路内に残る。したがって、フロント部材５７の切り欠き８８の縁８８ａは傾斜面８４の側を通り抜けて傾斜面８６に接触する。そのままフロント部材５７が後方に動かされると、直進運動の方向に傾斜する傾斜面８６の働きでサイドパネル７６の傾斜面８６には回転軸８３回りで閉じ方向に駆動力が作用する。こうしてフロント部材５７の直進運動はサイドパネル７６の閉じ方向の運動に変換される。傾斜面８４はフロント部材５７の移動経路に進入する。したがって、フロント部材５７に対してサイドパネル７６の係り合いは確保される。ここで、傾斜面８６および切り欠き８８の縁８８ａは、フロント部材５７およびサイドパネル７６の間で確立されて、回転軸８３に近づくフロント部材５７の直進運動から、回転軸８３回りで閉じ方向にサイドパネル７６に駆動力を作用する第２直進カム機構を構成する。
【００３７】
本実施形態ではフロント部材５７の分離の動きは回転軸８３に直交する。回転軸８３に直交する動きは回転軸８３回りの回転運動に効率的に変換される。変換にあたって複雑な機構は要求されない。変換は比較的に簡単な機構で実現されることができる。構造は簡素化されることができる。
【符号の説明】
【００３８】
１１…空気調和機、１４…室内熱交換器、２６…本体、５７…フロント部材、６８…サイド部材、７６…サイドパネル、８３…回転軸、８４…第１直進カム機構を構成する傾斜面、８５…第１直進カム機構を構成する傾斜面、８６…第２直進カム機構を構成する傾斜面、８８ａ…第２直進カム機構を構成する縁。
【図１】
2017133795.tif 000003
【図２】
2017133795.tif 000004
【図３】
2017133795.tif 000005
【図４】
2017133795.tif 000006
【図５】
2017133795.tif 000007
【図６】
2017133795.tif 000008
【図７】
2017133795.tif 000009
【図８】
2017133795.tif 000010